(57)【要約】【課題】複数のユーザが大容量情報記録再生装置を使用する時に、ユーザが不快感を受けないように操作できるようにすることを目的とする。【解決手段】放送番組を表示する複数のディスプレイ１及び２と、番組予約情報を記録し管理するサーバ３と、を有する情報記録再生装置において、ディスプレイ１及び２にはＩＤが付され、サーバ３は、番組予約情報を番号を付して記録し、別のＩＤを有するディスプレイ１又は２から同じ番組の予約があったとき、同じ番号の番組予約情報に異なるＩＤを付す。【選択図】図１
2007172680.tif 000002
【特許請求の範囲】
【請求項１】
個別のＩＤを有するユーザ又は機器が予約して録画する情報記録再生装置において、
複数の前記ユーザ又は機器の予約内容が少なくとも一部重複する場合、前記重複する予約部分については録画情報を共有して記録する手段を有することを特徴とする情報記録再生装置。
【請求項２】
放送番組を表示する複数のディスプレイと、番組予約情報を記録し管理するサーバと、を有する情報記録再生装置において、
前記各ディスプレイにはＩＤが付され、
前記サーバは、前記番組予約情報を番号を付して記録し、
前記サーバは、別のＩＤを有する前記ディスプレイから同じ番組の予約があったとき、同じ番号の前記番組予約情報に異なるＩＤを追加する手段を有することを特徴とする情報記録再生装置。
【請求項３】
前記サーバは、別のＩＤを有する前記ディスプレイから予約の開始時刻及び終了時刻の少なくとも一方が異なる同じ番組の予約があったとき、同じ番号の前記番組予約情報に異なるＩＤを追加する手段をさらに有することを特徴とする請求項２記載の情報記録再生装置。
【請求項４】
前記ディスプレイの操作は、リモートコントローラを用いて行うことを特徴とする請求項２又は３記載の情報記録再生装置。
【発明の詳細な説明】
【技術分野】
【０００１】
本発明は、情報の記録再生装置に関し、特に、異なるＩＤを持つ複数のユーザ又は機器による操作及びその処理方法に関するものである。
【背景技術】
【０００２】
近年、ＨＤＤ若しくはＤＶＤレコーダのように、放送番組を受信して、録画したり、又はデジタルカメラ若しくはビデオカメラ等で撮影した画像を、保存録画したりする大容量情報記録再生機器が開発されている。
【０００３】
このような機器で、ユーザは、放送番組を予約録画したり、自分で撮影したデジタルカメラ画像やビデオカメラ画像などをＨＤＤやＤＶＤに記録したり、記録された映像を再生したりすることができる。
【０００４】
また、ＨＤＤからＤＶＤへ複写したり、視聴済みの映像を消去したりすることもできるようになっている。
【０００５】
また、ユーザは、記録する画像の目的に応じて記録画質を決定し、画質に応じた記録レートで記録することが可能である。
【０００６】
また、今後は、これらＨＤＤ又はＤＶＤレコーダのような大容量情報記録再生装置がサーバとなって、ネットワークで接続された場所に送受信したり、受信したデータを蓄積したりする機器の開発も進められている。
【特許文献１】特開２００５−０１８９８２号公報
【発明の開示】
【発明が解決しようとする課題】
【０００７】
しかしながら、上記ＨＤＤやＤＶＤレコーダのような大容量情報記録再生装置は、基本的に機器の使用者が一人であることを前提に設計されており、複数のユーザで使用することはあまり考えられていなかった。
【０００８】
例えば、複数のユーザがそれぞれ予約録画した番組が同じものであった場合や、希望する画質が異なる場合や、希望する録画開始時刻や終了時刻などが少しずつ異なる場合についてまったく考えられていなかった。
【０００９】
自分で記録した番組などを再生する場合に、再生のためのリスト上に、他のユーザの記録した番組まで表示され見たい情報を選択することが難しくなっていたり、誤って他のユーザが記録した番組を消去したりすることがあった。
【００１０】
そこで、本発明は、複数のユーザが大容量情報記録再生装置を使用する時に、ユーザが不快感を受けないように操作できるようにすることを目的とする。
【００１１】
また、大容量情報記録再生装置において、記憶容量などを有効に利用するために無駄のない記録、消去、複写、移動などの動作を行うことを目的とする。
【課題を解決するための手段】
【００１２】
本発明は、上記課題を解決するための手段として、個別のＩＤを有するユーザ又は機器が予約して録画する情報記録再生装置において、複数の前記ユーザ又は機器の予約内容が少なくとも一部重複する場合、前記重複する予約部分については録画情報を共有して記録する手段を有することを特徴とする。
【００１３】
また、本発明は、放送番組を表示する複数のディスプレイと、番組予約情報を記録し管理するサーバと、を有する情報記録再生装置において、前記各ディスプレイにはＩＤが付され、前記サーバは、前記番組予約情報を番号を付して記録し、前記サーバは、別のＩＤを有する前記ディスプレイから同じ番組の予約があったとき、同じ番号の前記番組予約情報に異なるＩＤを追加する手段を有することを特徴とする。
【００１４】
また、本発明は、前記サーバは、別のＩＤを有する前記ディスプレイから予約の開始時刻及び終了時刻の少なくとも一方が異なる同じ番組の予約があったとき、同じ番号の前記番組予約情報に異なるＩＤを追加する手段をさらに有することを特徴とする。
【００１５】
また、本発明は、前記ディスプレイの操作は、リモートコントローラを用いて行うことを特徴とする。
【発明の効果】
【００１６】
本発明によれば、別のＩＤを有するディスプレイから同じ番組の予約があったとき、同じ番号の番組予約情報に異なるＩＤを付すので、複数のユーザが大容量情報記録再生装置を使用する時に、ユーザが不快感を受けずに操作できる。
【発明を実施するための最良の形態】
【００１７】
以下、添付図面を参照して本発明を実施するための最良の実施の形態を説明する。
【００１８】
図１は、本発明の一実施形態としての情報記録再生装置の構成を示すブロック図である。
【００１９】
図１において、本実施の形態の情報記録再生装置は、ディスプレイ１及び２と、サーバ３と有している。
【００２０】
ディスプレイ１及び２は、異なる場所に置かれている。
【００２１】
サーバ３は、一つ以上のチューナー３１と、記録再生可能な光ディスクドライブ装置３２と、ハードディスク装置３３を内蔵し、コントローラ３４により制御されている。
【００２２】
二つのディスプレイ１及び２と、サーバ３は、ネットワーク４によって接続されている。
【００２３】
ディスプレイ１と２には、それぞれ異なるＩＤが割り当てられており、各装置に付属のリモコン（不図示）などによって、それぞれのユーザに制御される。
【００２４】
サーバ３内のコントローラ３４は、サーバ３内の光ディスク装置３２及びハードディスク装置３３に蓄積されている全情報の蓄積情報リスト及び予約録画のための録画予約リストを有し管理している。
【００２５】
蓄積情報リスト及び録画予約リストは、例えば、図２に示すようになっている。
【００２６】
例えば、蓄積情報リストのＮｏ.１は、ＩＤ番号１のユーザが、タイトル「××◇◇◇」の情報を記録するということを示している。より詳細には、画質ＳＰで、ＨＤＤ３３（ハードディスク）に、チャネル１の番組を２００４／１２／２０／の０８時１５分００秒から２００４／１２／２０／の０８時３０分００秒で記録するということである。
【００２７】
図示しないが、この他にも蓄積情報リストには、実際のデータが保管されているＨＤＤ及びＯＤＤの少なくとも一方のアドレス情報又はデータサイズなどを記録されていても良い。
【００２８】
予約録画リストのＮｏ.１は、ＩＤ番号２のユーザが、タイトル「××◇◇◇」の情報を記録するということを示している。より詳細には、画質ＳＰで、ＯＤＤ（光ディスク）に、チャネル６の番組を２００４／１２／２０／の０８時１５分００秒から２００４／１２／２０／の０８時３０分００秒に記録するように予約したということである。
【００２９】
どちらのリストにおいても、ＩＤの項目、保管場所の項目は、複数の情報を記録できるようになっている。
【００３０】
まずは、情報を再生する場合を説明する。
【００３１】
いま、ディスプレイ１の前にいるユーザが、ディスプレイ１をリモートコントロールなどで、蓄積された情報を再生するために、再生リストを表示するように操作する。
【００３２】
操作した内容を示す情報である操作情報は、ディスプレイ１のＩＤとともに、ネットワーク４経由でサーバ３に送られる。
【００３３】
サーバ３内のコントローラ３４は、送られた操作情報からサーバ３内に蓄積されている蓄積情報の全リストより、ディスプレイ１のＩＤで蓄積されたリストのみを抽出し、ディスプレイ１へネットワーク４経由で送り返す。
【００３４】
例えば、ディスプレイ１のＩＤを１とすると、図２の蓄積情報全リストのうち、ＩＤ１の項目だけを抜き出し、Ｎｏ．１、４、７、８、９、１１の行が抽出される。
【００３５】
ユーザは、ディスプレイに表示される再生リストより、再生したい情報を選択する。
【００３６】
選択された情報は、ディスプレイのＩＤとともにネットワーク４を経由してサーバ３へ送られる。
【００３７】
例えば、ユーザが図２のリストのＮｏ．１に相当する情報を選択したとする。サーバ３内のコントローラは、送られたＩＤと選択情報よりＩＤと一致するディスプレイへ選択された情報（タイトル「××◇◇◇」）の圧縮された再生データをネットワーク４を経由して送る。その際、保管場所ＨＤＤ（ハードディスク）より読み出して送る。
【００３８】
また、ユーザが図２のリストのＮｏ．４に相当する情報を選択したとする。サーバ３内のコントローラは、送られたＩＤと選択情報よりＩＤと一致するディスプレイへ選択された情報（タイトル「××○○○」）の圧縮された再生データを保管場所ＯＤＤ（光ディスク）より読み出しネットワーク４経由で送る。
【００３９】
ディスプレイ１は、ネットワーク４経由で送られた圧縮された再生データを受け取り、図示しない機器内のデコーダで圧縮された再生データをデコードし、表示する。
【００４０】
以上により蓄積情報の再生が可能となる。
【００４１】
放送番組を見たい場合は、ディスプレイ１の前にいるユーザが、ディスプレイ１をリモコンなどで、現在の番組表を表示するように操作を行う。
【００４２】
その操作情報は、ディスプレイ１のＩＤとともに、ネットワーク４経由で、サーバ３に送られる。
【００４３】
サーバ３内のコントローラは、放送番組の現在の番組表をディスプレイ１へネットワーク４経由で送り返す。
【００４４】
ユーザは、ディスプレイ１に表示される番組表より、再生を行いたい情報を選択する。
【００４５】
選択された情報は、ディスプレイのＩＤとともにネットワーク４を経由してサーバ３へ送られる。
【００４６】
サーバ３内のコントローラは、送られたＩＤと選択情報より、チューナーの設定を選択情報の番組に合わせ、選択された番組のデータをチューナーからＩＤと一致するディスプレイへネットワーク４経由で送る。
【００４７】
放送番組が、アナログ放送の場合は、サーバ側で圧縮処理を行い、圧縮されたデータとしてネットワーク４上に送る。
【００４８】
以上により放送番組の再生が可能となる。
【００４９】
予約録画を行う場合は、ディスプレイ１の前にいるユーザが、ディスプレイ１をリモコンなどで、録画のための番組表を表示するように操作する。
【００５０】
その操作情報は、ディスプレイ１のＩＤとともに、ネットワーク４経由で、サーバ３に送られる。
【００５１】
サーバ３内のコントローラは、放送番組の番組表をディスプレイ１へネットワーク４経由で送り返す。
【００５２】
ユーザは、ディスプレイに表示される番組表より、録画予約を行いたい情報を選択するとともに、保管場所及び録画画質の選択も行う。
【００５３】
選択された情報は、ディスプレイのＩＤとともにネットワーク４を経由してサーバ３へ送られる。
【００５４】
サーバ３内のコントローラは、送られたＩＤと選択情報を、サーバ３内にある全予約録画リストに追加する。
【００５５】
例えば、図２の録画予約全リストＮｏ．４のようにリストに追加される。ディスプレイ１のＩＤが１で、選択した番組が、タイトル「××○○○」で放送チャンネル３である。また、放送時間が、２００４／１２／２０／の２１時１５分００秒から、２００４／１２／２０／２２時００分０３秒まで、画質がＳＰで、保管場所はＯＤＤだった場合である。
【００５６】
予約時間になると、サーバ３は、内蔵するチューナーを予約された番組に設定し、チューナーからの番組データを設定された画質で圧縮し選択された保管場所へ記録する。
【００５７】
先ほどの例では、ＯＤＤ（光ディスク）に記録される。ＨＤＤへの記録が指定されている場合はＨＤＤ（ハードディスク）に記録される。
【００５８】
録画が開始と同時に、サーバ３内のコントローラは、サーバ３内に蓄積されている全データリストにＩＤと保管場所（ＨＤＤ又は光ディスク）とともにこの番組の情報を追加する。
【００５９】
例えば、図２の蓄積情報全リストのＮｏ．４のように追加される。
【００６０】
ただし、録画開始時は、まだ、録画開始日時の項目のみで、録画終了日時に項目は、録画が正常に行われた所定時間ごとに更新されるものである。このようにすることで、録画中においても蓄積リストの参照と、再生が可能になる。
【００６１】
以上のようにして予約録画が行われる。
【００６２】
この後、ユーザがこの録画番組の情報を再生したいときは、先に説明したようにして再生を行う。
【００６３】
次に、視聴済みなどの情報を消去する場合について説明する。
【００６４】
ディスプレイ１の前にいるユーザが、ディスプレイ１をリモコンなどで、今まで蓄積された情報を消去するために、再生リストを表示するように操作を行う。
【００６５】
その操作情報は、ディスプレイ１のＩＤとともに、ネットワーク４経由で、サーバ３に送られる。
【００６６】
サーバ３内のコントローラは、操作情報からサーバ内に蓄積されている情報の全リストより、ディスプレイ１のＩＤで蓄積されたリストのみを抽出し、ディスプレイ１へネットワーク４経由で送り返す。
【００６７】
例えば、ディスプレイ１のＩＤを１とすると、図２の蓄積情報全リストのうち、ＩＤ１の項目だけを抜き出し、Ｎｏ．１、４、７、８、９、１１の行が抽出される。
【００６８】
ユーザは、ディスプレイに表示される再生リストより、消去を行いたい情報を選択する。
【００６９】
選択された情報は、ディスプレイのＩＤとともにネットワーク４を経由してサーバ３へ送られる。
【００７０】
例えば、ユーザが図２のリストのＮｏ．１に相当する情報を選択したとすると、サーバ３内のコントローラは、送られたＩＤと選択情報より選択された情報（タイトル「××◇◇◇」）の圧縮された再生データを保管場所ＨＤＤ（ハードディスク）より消去するとともに、蓄積情報全リストよりＮｏ．１のデータを消去する。
【００７１】
サーバ３内のコントローラは、選択された情報が削除された再生リストをＩＤと一致するディスプレイへネットワーク４経由で送る。
【００７２】
例えば、Ｎｏ．１が消去された場合は、全リスト中のＩＤ１の項目は、Ｎｏ．４、７、８、９、１１の行だけとなり、これらが抽出され送られる。
【００７３】
ユーザは、ディスプレイ１の表示よりリストから削除されたことを確認する。
【００７４】
以上により蓄積情報の消去が可能となる。
【００７５】
次に、光ディスクへの複写／移動を行う場合は、ディスプレイ１の前にいるユーザが、ディスプレイ１をリモコンなどで、今まで蓄積された情報をＨＤＤから光ディスクへ複写／移動するために、再生リストを表示するように操作を行う。
【００７６】
その操作情報は、ディスプレイ１のＩＤとともに、ネットワーク４経由で、サーバ３に送られる。
【００７７】
サーバ３内のコントローラは、操作情報からサーバ内に蓄積されている情報の全リストより、ディスプレイ１のＩＤで蓄積されたリストのみを抽出し、ディスプレイ１へネットワーク４経由で送り返す。
【００７８】
例えば、ディスプレイ１のＩＤを１とすると、図２の蓄積情報全リストのうち、ＩＤ１の項目だけを抜き出し、Ｎｏ．１、４、７、８、９、１１の行が抽出される。
【００７９】
ユーザは、ディスプレイに表示される再生リストより、複写／移動を行いたい情報を選択するとともに、複写先を指定する。
【００８０】
選択された情報は、ディスプレイのＩＤとともにネットワーク４を経由してサーバ３へ送られる。
【００８１】
例えば、ユーザが図２のリストのＮｏ．１に相当する情報を選択し、複写先としてＯＤＤ（光ディスク）を指定したとする。サーバ３内のコントローラは、送られたＩＤと選択情報より、全再生リストの、該当する情報（ここでは、Ｎｏ．１）の保管場所情報にＯＤＤ（光ディスク）を追加する。それとともに、実際の情報をＨＤＤから光ディスクへ複写する。
【００８２】
その他、保管場所に関連する情報等、例えばアドレス、データサイズなどの情報がある場合、それらも更新される。
【００８３】
複写後のリストは、少なくとも保管場所の項目が、ＨＤＤ、ＯＤＤとなっていることになる。
【００８４】
移動の場合は、全再生リスト内の該当する情報の保管場所情報へＯＤＤ（光ディスク）を追加しＨＤＤを削除するとともにＨＤＤから光ディスクへ複写した後にＨＤＤよりの実際の情報の消去を行う。
【００８５】
移動後のリストは、保管場所の項目が、ＯＤＤのみとなっていることになる。
【００８６】
サーバ３は、選択された情報に光ディスクが追加された再生リストをＩＤと一致するディスプレイへネットワーク４経由で送る。
【００８７】
ユーザは、ディスプレイ１の表示より複写／移動されたことを確認する。（Ｎｏ.１の項目の保管場所にＯＤＤが追加又はＯＤＤに置き換わっている）
以上により蓄積情報の光ディスクへの複写／移動が可能となる。
【００８８】
ＯＤＤ（光ディスク）から、ＨＤＤへの複写／移動も複写／移動元と複写／移動先を入れ替えることで同様の動作で行うことが可能である。
【００８９】
次に、デジタルビデオカメラなどの情報を、サーバ上へ記録する場合について説明する。
【００９０】
ディスプレイ１の前にいるユーザが、ディスプレイ１にデジタルビデオカメラを例えば、ＩＥＥＥ１３９４などで接続し、リモコンなどで、サーバ３へ記録するように操作する。
【００９１】
その操作情報は、ディスプレイ１のＩＤとともに、ネットワーク４経由で、サーバ３に送られる。
【００９２】
サーバ３は操作情報より、ディスプレイ１からの記録データを受け取り、デジタルビデオカメラの画像情報とＩＤを全再生リストに追加するとともに、ＨＤＤへの記録も開始する。
【００９３】
例えば、図２の蓄積情報全リストのＮｏ.７のようなリストとなる。
【００９４】
記録された情報の再生は、再生リストにより再生可能となる。
【００９５】
この例では、デジタルビデオカメラとしたが、デジタルカメラでも同様の動作で記録可能である。
【００９６】
次に、同じ放送番組を複数のユーザが録画予約を行った場合を説明する。
【００９７】
ある放送番組を、すでにディスプレイ１からあるユーザ１が録画予約を行っているとする。その方法はすでに説明した通りである。
【００９８】
次に、ディスプレイ２の前にいるユーザ２が、ディスプレイ２をリモコンなどで、録画のための番組表を表示するように操作を行う。
【００９９】
その操作情報は、ディスプレイ２のＩＤとともに、ネットワーク４経由で、サーバ３に送られる。
【０１００】
サーバ３は、放送番組の番組表をディスプレイ２へネットワーク４経由で送り返す。
【０１０１】
ユーザ２は、ディスプレイ２に表示される番組表より、録画予約を行いたい情報を選択するとともに、録画画質の選択をする。
【０１０２】
選択された情報は、ディスプレイのＩＤとともにネットワーク４を経由してサーバ３へ送られる。
【０１０３】
サーバ３は、送られたＩＤと選択情報を、サーバ３内にある全予約録画リストに追加しようとする。
【０１０４】
このときの録画予約全リストが図２のようなものだったとして、ユーザ２（ＩＤ２とする）が予約録画しようとしたものは、例えば、Ｎｏ．８のように、すでにＩＤ１のユーザ１によって予約されているものだったとする。
【０１０５】
このとき、サーバ３は、同じ番組を異なるＩＤ（この場合ディスプレイ１）で予約していることを検出する。
【０１０６】
サーバ３は、全予約録画リスト内のディスプレイ１のＩＤで予約されている該当する番組にディスプレイ２のＩＤを追加する。
【０１０７】
つまり、図２の予約録画全リストの、Ｎｏ．８のＩＤの項目にＩＤ２を追加する。
【０１０８】
この時、ユーザ１による録画画質の選択が、図２の録画予約全リストＮｏ.８ようにＳＰで、ユーザ２による録画画質の選択がＬＰであった場合、より高画質を選んだユーザ１による選択が優先され、ＳＰで記録される。
【０１０９】
例えば、ＬＰは平均転送レート２Ｍｂｐｓ程度、ＳＰは５Ｍｂｐｓ程度のように、ＬＰよりもＳＰの方がより高い転送レートとなり、画質もより向上することになる。
【０１１０】
予約時間になると、サーバ３は、内蔵するチューナーを予約された番組に設定し、チューナーからの番組データを設定された画質でＨＤＤへ記録する。
【０１１１】
光ディスクへの記録が指定されている場合は光ディスクへの記録が行われる。
【０１１２】
録画が開始されると同時に、サーバ３は、サーバ３内に蓄積されている蓄積情報全リストに二つのＩＤ（ディスプレイ１及び２）とともにこの情報を追加する。
【０１１３】
例えば、図２の蓄積情報全リストのＮｏ．８のように、ＩＤの項目に二つのＩＤが記録される。
【０１１４】
つまり、予約録画によって記録するデータは一つで、リスト上のＩＤのみ二つということになる。
【０１１５】
各々のユーザ１、２が予約録画したものを再生しようと再生リストを表示させると、どちらのリストにもその情報が載ることになる。
【０１１６】
図２の蓄積情報全リストを例にすれば、ユーザ１が再生リストを表示すると、Ｎｏ.１、Ｎｏ.４、Ｎｏ.７、Ｎｏ.８、Ｎｏ.９、Ｎｏ.１１のみとなる。また、ユーザ２が再生リストを表示すると、Ｎｏ.２、Ｎｏ.３、Ｎｏ.５、Ｎｏ.６、Ｎｏ.８、Ｎｏ.１０、Ｎｏ.１１のみとなる。
【０１１７】
消去を行うときは、サーバ上の全再生リストより、消去を行ったユーザのＩＤのみ消去され、消去していないユーザのＩＤは残るようにする。
【０１１８】
こうすることで、消去したユーザの再生リストからは、その情報は消え、消去を行っていないユーザの再生リストには、情報が残っていることになる。
【０１１９】
両方のユーザが消去を行って初めて、実際のデータが消去される。
【０１２０】
以上の例は、予約録画の開始時刻及び終了時刻が等しい場合であったが、それらが異なる場合を説明する。
【０１２１】
例えば、ＩＤ１を持つユーザ１が録画予約全リストのＮｏ.８で示すような番組の予約をすでにおこなっていたとする。
【０１２２】
次に、ＩＤ２を持つユーザ２が、上記Ｎｏ.８と同じチャンネル１で、録画開始日時を、２００４／１２／２２／０８時００分００秒から、２００４／１２／２２／０８時３５分００秒までの予約を録画画質ＳＰで行ったとする。
【０１２３】
このとき、サーバ３は、録画予約全リストのＮｏ.８の録画開始日時及び録画終了日時の項目を、ユーザ２が指定したものに変更するとともに、ＩＤの項目にＩＤ２を追加する。
【０１２４】
つまり、二つの異なるＩＤの録画予約を含む最大の時間録画予約を行う設定とする。
【０１２５】
実際の録画はこのリストのように２００４／１２／２２／０８時００分００秒から、２００４／１２／２２／０８時３５分００秒まで画質ＳＰで行われる。
【０１２６】
蓄積情報リストには、それぞれのＩＤに関連付けて実際に録画を希望した範囲の録画開始時刻、終了時刻を記録しておき（不図示）、それぞれのユーザが再生を行う時は、各自の予約録画の時間範囲のみが再生可能となるようにする。
【０１２７】
予約録画時間範囲と、録画画質がどちらも異なる場合は、少なくとも、予約録画が重複する時間の間は、画質の高い方を選択して記録し、重複しない時間は、希望の画質というようにすればよい。
【０１２８】
もちろん、すべての時間範囲にわたって、重複する時間で決定された画質で記録を行っても良い。
【０１２９】
次に、ユーザ１によってすでにサーバ３上に記録されたデジタルビデオカメラのデータをユーザ２がサーバ３に記録しようとした場合を説明する。
【０１３０】
このような状況は、１台のデジタルビデオカメラを複数のユーザで共有している場合におこりうる。
【０１３１】
たとえば、ユーザ２が使用しようとしたデジタルビデオカメラに入っているテープ（又はディスク等）が一杯になっている。しかし、そのテープを使用して撮影したユーザ１が、その画像をサーバ３上に記録したかどうかわからない場合が考えられる。
【０１３２】
それ以外には、ユーザ２がとりあえず、サーバ上に移しておこうと考えたときなどが考えられる。
【０１３３】
ディスプレイ２の前にいるユーザ２が、ディスプレイ２にデジタルビデオカメラを接続し、リモコンなどで、サーバ３へ記録するように操作を行う。
【０１３４】
その操作情報は、ディスプレイ１のＩＤとともに、ネットワーク４経由で、サーバ３に送られる。
【０１３５】
サーバ３は操作情報より、ディスプレイ１からの記録データを受け取り、デジタルカメラの画像情報とＩＤを全再生リストへの追加を開始する。
【０１３６】
この時の蓄積情報全リストが図２のようなものとして、リストのＮｏ.７にユーザ１によってすでに記録されていたものだったとする。
【０１３７】
サーバ３は、全再生リスト上にすでに記録されていることを検出し、実際のデータの記録は行わずに、全再生リスト上にＩＤのみ追加する。
【０１３８】
つまり、Ｎｏ.７のＩＤの項目にユーザ２（ディスプレイ２）のＩＤ２を追加する。
【０１３９】
実際の情報の記録は、始めにユーザ１が行った時１回だけおこなわれることになる。
【０１４０】
同じデータかどうかの判別は、デジタルビデオカメラの画像内のファイル情報（撮影時間やファイルサイズなど）で判別すれば良い。
【０１４１】
記録された情報の再生は、双方のユーザから再生リストにより再生可能となる。
【０１４２】
この例では、デジタルビデオカメラとしたが、デジタルカメラでも同様の動作で記録可能である。
【０１４３】
次に、複数のユーザのＩＤを持つ情報を、光ディスクへ複写／移動する場合を説明する。
【０１４４】
まず、ディスプレイ２の前にいるユーザ２が、リモコンなどで、今まで蓄積された情報をＨＤＤから光ディスクへ複写／移動するために、再生リストを表示するように操作を行う。
【０１４５】
その操作情報は、ディスプレイ２のＩＤとともに、ネットワーク４経由で、サーバ３に送られる。
【０１４６】
サーバ３は、操作情報からサーバ内に蓄積されている情報の全リストより、ディスプレイ２のＩＤで蓄積されたリストのみを抽出し、ディスプレイ２へネットワーク４経由で送り返す。
【０１４７】
このときの蓄積情報全リストが、図２のようである場合、ユーザ２へ送り返されるリストは、Ｎｏ.２、Ｎｏ.３、Ｎｏ.５、Ｎｏ.６、Ｎｏ.８、Ｎｏ.１０、Ｎｏ.１１となる。
【０１４８】
ユーザ２は今回ＨＤＤからＯＤＤへ複写を行うものとする。
【０１４９】
ユーザ２は、ディスプレイに表示される再生リストより、複写を行いたい情報を選択する。
【０１５０】
このとき、ユーザ２は、Ｎｏ.８を選択したとする。
【０１５１】
選択された情報は、ディスプレイのＩＤとともにネットワーク４を経由してサーバ３へ送られる。
【０１５２】
サーバ３は、送られたＩＤと選択情報より、Ｎｏ.８の情報を、ＯＤＤ（光ディスク）への複写を行うとともに、蓄積情報全リストの保管場所にＯＤＤを追加する。
【０１５３】
サーバ３は、選択された情報に光ディスクが追加された再生リストをＩＤと一致するディスプレイへネットワーク４経由で送る。
【０１５４】
ユーザ２は、ディスプレイ２の表示より複写されたことを確認する。
【０１５５】
このとき、蓄積情報全リスト上では、ＩＤと保管場所が関連づけられて管理されており、ユーザ１がディスプレイ１で、再生リストを表示した場合は、Ｎｏ.８はＨＤＤのみに保管されているように表示される。
【０１５６】
移動の場合は、他のＩＤ（ここでは、ディスプレイ１）でＨＤＤに保管されている場合は、実際の動作は複写となる。
【０１５７】
この場合も、ＩＤと保管場所が関連づけられてリストが管理されているので、各々のユーザのリスト上では、移動、複写の区別がつけられる。
【０１５８】
図２のＮｏ.８を例にとれば、ＩＤ１をもつユーザ１からは、Ｎｏ.８は元のまま、ＨＤＤに保管されているように表示され、ＩＤ２をもつユーザ２からは、Ｎｏ.８はＯＤＤに保管されているように表示される。
【０１５９】
すでに、ＩＤ２により、ＨＤＤからＯＤＤへ移動されている情報を、ＩＤ１がＨＤＤからＯＤＤへ移動した場合は、移動前の状態は、ＨＤＤからＯＤＤに複写されている状態なので、実際の動作は、ＨＤＤからの消去となり、同時に蓄積情報全リストからも、ＨＤＤが削除される。
【０１６０】
つまり、ＨＤＤから、ＯＤＤへの複写の実際の動作は、ユーザ２が行った１回だけ、また、ＨＤＤからの移動（消去）の実際の動作も、ユーザ１が行った１回だけとなる。
【０１６１】
上記の例は、ＨＤＤからＯＤＤ（光ディスク）への複写／移動の例をあげたが、ＯＤＤ（光ディスク）から、ＨＤＤへの複写／移動も複写／移動元と複写／移動先を入れ替えることで同様の動作で行うことが可能である。
【０１６２】
以上、本発明による実施形態を説明したが、図２に示したリストは、本発明による１例であり、これに限定されるものではない。
【０１６３】
また、本実施形態では、ユーザが２人の場合を説明したが、それ以上であっても同様の方法で対処可能である。
【産業上の利用可能性】
【０１６４】
本発明は、情報記録再生装置に利用可能であり、録画予約が可能なものに利用可能である。
【図面の簡単な説明】
【０１６５】
【図１】本発明の一実施形態としての情報記録再生装置の構成を示すブロック図である。
【図２】コントローラ３４が管理する蓄積情報リスト及び録画予約リストの一例である。
【符号の説明】
【０１６６】
１  ディスプレイ
２  ディスプレイ
３  サーバ
４  ネットワーク
３１  チューナー
３２  光ディスク
３３  ＨＤＤ
３４  コントローラ
【図１】
2007172680.tif 000003
【図２】
2007172680.tif 000004